(57)【要約】【課題】  耐ノッキング性能を向上させて圧縮比を高めることができ、同時にオイル希釈を効果的に抑制することができる火花点火式直噴エンジンの燃焼室構造を提供する。【解決手段】  シリンダボア中央部の点火プラグ１５と、吸気側に設けられた燃料噴射装置１７とを備え、燃料噴射装置１７は、噴射燃料が点火プラグ１５の電極１５ａ方向に向かい、天井壁１１の排気側１１ｂを傾斜させるとともに、天井壁下端周縁部１１ｅをシリンダボア周縁よりも中央寄りに位置させ、ピストン１３が上死点にある状態で、燃焼室内が、燃料噴射装置１７周辺から点火プラグ１５周辺にかけて広がる第1燃焼空間１４ａと、天井壁下端周縁部１１ｅからシリンダボア周縁部にかけて広がる第２燃焼空間１４ｂとによって形成され、ピストン頂面４と天井壁１１との間隙が狭められた小間隙部５を介して第１燃焼空間１４ａと第２燃焼空間１４ｂとが連通されているように構成する。【選択図】      図１
2007085221.tif 000002
【特許請求の範囲】
【請求項１】
シリンダヘッド下面とピストン頂面との間に形成され、上記シリンダヘッド下面を天井壁とする燃焼室と、
上記天井壁のシリンダボア中央部分から上記燃焼室内に先端が臨設された点火プラグと、
吸気側のシリンダボア周縁部から上記燃焼室内に先端が臨設された燃料噴射装置とを備えた火花点火式直噴エンジンの燃焼室構造であって、
上記燃料噴射装置は、噴射燃料の少なくとも一部が上記点火プラグの電極方向に向かうように構成され、
上記天井壁の少なくとも排気側をシリンダボア軸線に直交する面に対し傾斜させるとともに、その下端周縁に形成される天井壁下端周縁部をシリンダボア周縁よりもシリンダボア中央寄りに位置させ、
ピストンが上死点にある状態で、上記燃焼室内空間の主要部が、上記燃料噴射装置周辺から上記点火プラグ周辺にかけて広がる第1燃焼空間と、上記天井壁下端周縁部からシリンダボア周縁部にかけて広がる第２燃焼空間とによって形成され、
上記ピストン頂面と上記天井壁との間隙が狭められた小間隙部を介して上記第１燃焼空間と上記第２燃焼空間とが連通されていることを特徴とする火花点火式直噴エンジンの燃焼室構造。
【請求項２】
上記燃料噴射装置は複数の噴口を備え、少なくともその一部の噴口が上記点火プラグの電極方向に指向していることを特徴とする請求項１記載の火花点火式直噴エンジンの燃焼室構造。
【請求項３】
上記点火プラグの電極方向に指向する噴口が少なくとも２個設けられ、各噴口の指向方向が、上記点火プラグの電極から僅かに離間するとともに、該電極の中心軸を挟んで互いに略対称であるように構成され、
上記天井壁下端周縁部は、平面視においてシリンダボア周縁形状と略平行となるような曲面形状に成形され、
上記小間隙部は、上記天井壁下端周縁部の曲面形状に沿って形成されていることを特徴とする請求項２記載の火花点火式直噴エンジンの燃焼室構造。
【請求項４】
上記ピストンの冠部には、上記天井壁に向けて突出する凸部が形成され、
上記凸部の外周側が上記天井壁下端周縁部の曲面形状に沿うように形成され、
上記凸部と上記天井壁下端周縁部との間に上記小間隙部が形成されていることを特徴とする請求項３記載の火花点火式直噴エンジンの燃焼室構造。
【請求項５】
上記燃焼室は、吸気側天井壁と排気側天井壁とが屋根形をなすペントルーフ型であり、
上記ピストンの冠部には、上記天井壁に向けてペントルーフ形状に沿うように突出した凸部と、該凸部に対して相対的に没入した凹部とが形成されており、上記小間隙部は上記凸部の頂面と上記天井壁との間に形成され、上記第１燃焼空間および上記第２燃焼空間は上記凹部と上記天井壁との間に形成されていることを特徴とする請求項１乃至３の何れか１項に記載の火花点火式直噴エンジンの燃焼室構造。
【請求項６】
上記小間隙部は、上記シリンダボアの径方向における、上記点火プラグから上記シリンダボア周縁との中間点よりも上記シリンダボア周縁寄りに形成されていることを特徴とする請求項１乃至５の何れか１項に記載の火花点火式直噴エンジンの燃焼室構造。
【発明の詳細な説明】
【技術分野】
【０００１】
本発明は、火花点火式直噴エンジンの燃焼室の構造に関し、より詳しくは、天井壁のシリンダボア中央部分から燃焼室内に先端が臨設された点火プラグと、吸気側のシリンダボア周縁部から燃焼室内に先端が臨設された燃料噴射装置とを備えた火花点火式直噴エンジンの燃焼室の構造に関するものである。
【背景技術】
【０００２】
近年、経済面のみならず、地球の温暖化防止という環境面においてもエンジンの燃費向上要求が一段と高まりつつある。火花点火式直噴エンジンにおいて燃費を向上するには燃焼効率を高めれば良く、その有力な手段として圧縮比の増大が挙げられる。
【０００３】
圧縮比を高めるには、シリンダー容積に対して燃焼室容積を小さくすれば良い。そのような高圧縮比化に好適な燃焼室構造として、たとえばペントルーフ型の燃焼室構造が多く用いられている。この燃焼室構造は、吸気側の天井壁と排気側の天井壁とが屋根形をなすように形成されたものであって、比較的大きな吸排気バルブ径を確保しつつ、燃焼室容積を小さくすることができるという特徴がある。またスワール（ピストン摺動軸まわりの旋回流。横渦。）、タンブル（ピストン摺動軸に平行な面内の旋回流。縦渦。）、或いはスキッシュ（ピストン上昇時にピストンボア周縁部から中央部に押し出すような流れ）といった筒内流動を生成するうえでも有利な構造である。
【０００４】
例えば特許文献１乃至３には、各種の筒内流動を生成させて燃焼効率向上を図った燃焼室の構造が示されているが、その図示された断面構造から、何れもペントルーフ型燃焼室であると解される。
【０００５】
一方、火花点火式直噴エンジンの、点火プラグと燃料噴射装置の配置、および燃料噴射装置の噴霧の形態（噴口の数や指向方向）についても様々な研究がなされている。その一形態として、点火プラグを、天井壁のシリンダボア中央部分から燃焼室内に臨設させ、燃料噴射装置を、吸気側のシリンダボア周縁部から燃焼室内に臨設させるものがある。
【０００６】
この場合、噴射燃料の少なくとも一部が点火プラグの電極方向に向かうようにすれば、電極付近に適度な濃度（空燃比)の混合気を偏在させ易く、着火性が良くなることが知られている。
【特許文献１】特開平０８−２５４１２６号公報
【特許文献２】特開平０８−０４９５４６号公報
【特許文献３】特開２００３−１８４５５９号公報
【発明の開示】
【発明が解決しようとする課題】
【０００７】
上記背景技術において、２つの課題が挙げられる。第1の課題は高圧縮比化に関するものである。すなわち、上記のように燃焼室構造を工夫する等して高圧縮比を実現したとしても、それで直ちに実用上有効な燃焼を行わせることができるとは限らない。良く知られているように、圧縮比を高めるとノッキング等の異常燃焼（以下ノッキング等という）が起こり易くなるからである。つまり実用上は、ノッキング等の発生しない範囲でしか圧縮比を高めることができない。
【０００８】
しかしそれは、ノッキング等の発生を抑制することができれば、つまり耐ノッキング性能を向上させることができれば、より圧縮比を高めることができることをも意味する。
【０００９】
第２の課題はオイル希釈に関するものである。オイル希釈とは燃料がエンジンオイルに混入する現象であり、オイルの劣化を促進する虞があるので好ましくない。上記構造によると、次のようなメカニズムでオイル希釈が比較的起こり易いとされている。
【００１０】
吸気側からシリンダボア中央部の点火プラグに向けて燃料を噴射すると、ある程度の噴霧が反対側の燃焼室壁面（たとえば天井壁）に到達してしまうことが避けられない。その噴霧は液滴化し、壁面に付着する。そして付着した液滴燃料がシリンダボア側に伝い落ち、ピストン（厳密にはピストンリング）との隙間に侵入し、燃焼室の外部に導かれてオイルに混入する。こうしてオイル希釈に至るのである。
【００１１】
本発明は、上記のような事情に鑑み、簡単な構造で上記第１の課題と第２の課題とを同時に解決し得る火花点火式直噴エンジンの燃焼室構造を提供することを目的とする。すなわち、耐ノッキング性能を向上させることにより実用上有効に圧縮比を高めることができ、同時にオイル希釈を効果的に抑制することができる火花点火式直噴エンジンの燃焼室構造を提供することを目的とする。
【課題を解決するための手段】
【００１２】
上記課題を解決するための請求項１に係る発明は、シリンダヘッド下面とピストン頂面との間に形成され、上記シリンダヘッド下面を天井壁とする燃焼室と、上記天井壁のシリンダボア中央部分から上記燃焼室内に先端が臨設された点火プラグと、吸気側のシリンダボア周縁部から上記燃焼室内に先端が臨設された燃料噴射装置とを備えた火花点火式直噴エンジンの燃焼室構造であって、上記燃料噴射装置は、噴射燃料の少なくとも一部が上記点火プラグの電極方向に向かうように構成され、上記天井壁の少なくとも排気側をシリンダボア軸線に直交する面に対し傾斜させるとともに、その下端周縁に形成される天井壁下端周縁部をシリンダボア周縁よりもシリンダボア中央寄りに位置させ、ピストンが上死点にある状態で、上記燃焼室内空間の主要部が、上記燃料噴射装置周辺から上記点火プラグ周辺にかけて広がる第1燃焼空間と、上記天井壁下端周縁部からシリンダボア周縁部にかけて広がる第２燃焼空間とによって形成され、上記ピストン頂面と上記天井壁との間隙が狭められた小間隙部を介して上記第１燃焼空間と上記第２燃焼空間とが連通されていることを特徴とする。
【００１３】
また請求項２に係る発明は、請求項１記載の火花点火式直噴エンジンの燃焼室構造において、上記燃料噴射装置は複数の噴口を備え、少なくともその一部の噴口が上記点火プラグの電極方向に指向していることを特徴とする。
【００１４】
また請求項３に係る発明は、請求項２記載の火花点火式直噴エンジンの燃焼室構造において、上記点火プラグの電極方向に指向する噴口が少なくとも２個設けられ、各噴口の指向方向が、上記点火プラグの電極から僅かに離間するとともに、該電極の中心軸を挟んで互いに略対称であるように構成され、上記天井壁下端周縁部は、平面視においてシリンダボア周縁形状と略平行となるような曲面形状に成形され、上記小間隙部は、上記天井壁下端周縁部の曲面形状に沿って形成されていることを特徴とする。
【００１５】
また請求項４に係る発明は、請求項３記載の火花点火式直噴エンジンの燃焼室構造において、上記ピストンの冠部には、上記天井壁に向けて突出する凸部が形成され、上記凸部の外周側が上記天井壁下端周縁部の曲面形状に沿うように形成され、上記凸部と上記天井壁下端周縁部との間に上記小間隙部が形成されていることを特徴とする。
【００１６】
また請求項５に係る発明は、請求項１乃至３の何れか１項に記載の火花点火式直噴エンジンの燃焼室構造において、上記燃焼室は、吸気側天井壁と排気側天井壁とが屋根形をなすペントルーフ型であり、上記ピストンの冠部には、上記天井壁に向けてペントルーフ形状に沿うように突出した凸部と、該凸部に対して相対的に没入した凹部とが形成されており、上記小間隙部は上記凸部の頂面と上記天井壁との間に形成され、上記第１燃焼空間および上記第２燃焼空間は上記凹部と上記天井壁との間に形成されていることを特徴とする。
【００１７】
また請求項６に係る発明は、請求項１乃至５の何れか１項に記載の火花点火式直噴エンジンの燃焼室構造において、上記小間隙部は、上記シリンダボアの径方向における、上記点火プラグから上記シリンダボア周縁との中間点よりも上記シリンダボア周縁寄りに形成されていることを特徴とする。
【発明の効果】
【００１８】
請求項１の発明によると、以下説明するように、耐ノッキング性能を向上させることにより実用上有効に圧縮比を高めることができ、同時にオイル希釈を効果的に抑制することができる。
【００１９】
まず、耐ノッキング性能の向上について説明する。本発明の構成によれば、容易に後期重心型燃焼を行わせることができ、それによって耐ノッキング性能が向上する。
【００２０】
ここで、後期重心型燃焼と、後期重心型燃焼によって耐ノッキング性能が向上するメカニズムについて説明する。後期重心型燃焼とは、端的に表現すると、燃焼前期は比較的低速で、燃焼後期は比較的高速で燃焼させる燃焼形態である。後期重心型燃焼によると、前期主燃焼期間（燃焼質量の１０％から９０％が燃焼する主燃焼期間のうち、１０％以上５０％未満が燃焼する期間）では低速で燃焼させることによって筒内圧力や温度の上昇が抑制され、未燃燃料の過早着火が効果的に抑制されるので、高い耐ノッキング性能を得ることができる。そして後期主燃焼期間（主燃焼期間のうち、燃焼質量の５０％以上９０％未満が燃焼する期間）では未燃燃料を高速燃焼させて速やかに燃焼を完了させることにより、燃え残りを核とする自着火を抑制することができ、やはり耐ノッキング性能を高めることができる。こうして燃焼全体としての主燃焼期間を殆ど延ばすことなく、効果的にノッキングを抑制することができるのである。
【００２１】
そこで本発明の構成によれば、前期主燃焼期間では主として燃料噴射装置周辺から点火プラグ周辺にかけて広がる第１燃焼空間で燃焼が行われ、後期主燃焼期間では主として天井壁下端周縁部からシリンダボア周縁部にかけて広がる第２燃焼空間で燃焼が行われる。一般的に、燃焼は火炎伝播によって進行し、その火炎面（火炎伝播の最前線）は、未燃ガスを押し出すようにして、点火プラグの電極付近に形成された火炎核を中心とする略同心球状に拡がって行く。
【００２２】
ところが本発明の構成では、第１燃焼空間と第２燃焼空間との間に、ピストン頂面と天井壁との間隙が狭められた小間隙部が設けられている。火炎面に押し出された未燃ガスがこの小間隙部を通過する際、一種の絞り作用を受ける。その影響を受けて第１燃焼空間での燃焼の火炎伝播が抑制される。このため前期主燃焼期間における燃焼速度が比較的低く抑えられる。
【００２３】
そして火炎面が小間隙部を経て第２燃焼空間に達すると、もはや小間隙部による絞り作用の影響を受けないので、速やかに火炎伝播が進行する。つまり後期主燃焼期間における燃焼速度が比較的高くなる。
【００２４】
結局、全体として、前期主燃焼期間では比較的低速の燃焼が行われ、後期主燃焼期間では比較的高速の燃焼が行われるという、上述の後期重心型燃焼が行われることになるのである。
【００２５】
上述のように本発明によれば、燃焼室構造を工夫することにより、容易に後期重心型燃焼を行わせることができ、その後期重心型燃焼によって耐ノッキング性能が向上する。またこれを利用して、耐ノッキング性能を悪化させることなく圧縮比を高めることも容易にできる。本願発明者は、本発明の燃焼室構造によって、耐ノッキング性能を悪化させることなく圧縮比を従来比で０．５以上高めることができることを確認している。
【００２６】
次に、オイル希釈の抑制について説明する。本発明の構成によると、以下説明するように、後期重心型燃焼を行わせるための構造の一部である天井壁下端周縁部を利用してオイル希釈を効果的に抑制することができる。
【００２７】
吸気側からシリンダボア中央部の点火プラグに向けて燃料を噴射すると、ある程度の噴霧が排気側の傾斜した天井壁に到達し、液滴化してその天井壁に付着する。付着した液滴燃料は天井壁を伝い落ちて天井壁下端周縁部に至る。ところが、天井壁下端周縁部は、シリンダボア周縁よりもシリンダボア中央寄りに位置している。つまり天井壁下端周縁部において天井壁とシリンダボア壁面との間に段差が形成されている。したがって、天井壁下端周縁部まで伝い落ちた液滴燃料は、容易にその先のシリンダボア側へ移動しない。従ってこの液滴燃料がシリンダボア壁面とピストンとの隙間に侵入することが可及的に防止され、オイル希釈が効果的に抑制される。
【００２８】
このように、天井壁下端周縁部を有する燃焼室構造により、容易に後期重心型燃焼を行わせると同時に、オイル希釈を効果的に抑制することができる。
【００２９】
請求項２の発明によると、複数の噴口から噴射される噴霧を、燃料を着火や燃焼に適した好適位置に分散して偏在させることが容易となる。
【００３０】
請求項３の発明によると、点火プラグの電極を挟んだ両側に噴霧を偏在させることができるので、より着火性を向上させることができる。そして、天井壁下端周縁部を平面視においてシリンダボア周縁形状と略平行となるような曲面形状に成形することにより、液滴燃料を天井壁下端周縁部に導き易くなる。また第２燃焼空間を、天井壁下端周縁部とシリンダボア周縁部との間の少なくとも円弧状部分を含む空間に形成することができるので、点火プラグから適度に離れた位置にあり、かつ充分な容積を有する第２燃焼空間となすことができる。つまり効果的な後期重心型燃焼を行うことができる。
【００３１】
請求項４の発明によると、ピストンの冠部に凸部を設けるという簡単な構造で後期重心型燃焼を行わせることができる。
【００３２】
請求項５の発明によると、高圧縮比化に有利なペントルーフ型燃焼室にあって、ピストン冠部に、ペントルーフ形状に沿うような凸部を設けることにより、小間隙部を形成させつつ、燃焼室容積をより削減することができ、幾何学的圧縮比の増大に有利な構造とすることができる。そして凹部において、第１燃焼空間および第２燃焼空間の充分な容積を確保することができる。
【００３３】
請求項６の発明によると、以下に述べるように初期燃焼期間（主燃焼期間より前の、燃焼質量の１０％が燃焼するまでの期間）を早期に完了させ、主燃焼期間への移行遅れを効果的に防止することができる。
【００３４】
上記のように、前期主燃焼期間では主として第１燃焼空間で燃焼が行われる。従って、その前段階の初期燃焼期間も主として第１燃焼空間で燃焼が行われる。ここで、点火プラグと小間隙部との距離が近すぎると、初期燃焼期間での燃焼が小間隙部による絞り作用の影響を強く受けてしまい、燃焼速度が低下してしまう。初期燃焼期間での燃焼速度が低下すると、主燃焼期間への移行が遅れてしまい、燃焼全体の遅れに繋がるので好ましくない。
【００３５】
そこで本発明の構成によれば、小間隙部が、シリンダボアの径方向における、点火プラグからシリンダボア周縁との中間点よりもシリンダボア周縁寄りに形成されている。つまり点火プラグと小間隙部とが適度に離間しているので、初期燃焼期間での燃焼に小間隙部による絞り作用の影響が殆ど及ばないようにすることができる。
【００３６】
但し、小間隙部をシリンダボア周縁に寄せ過ぎると、第２燃焼空間を充分確保することが困難となる。従って小間隙部は、点火プラグからシリンダボア周縁との中間点よりはシリンダボア周縁寄りであり、かつシリンダボア周縁からもある程度離間した適所に形成させるのが好ましい。その適所はエンジンの特性等によって異なるが、概ね点火プラグからシリンダボア周縁までの距離の６０〜８５％の範囲内にある。
【発明を実施するための最良の形態】
【００３７】
図１（ａ）は本発明の実施形態に係る火花点火式エンジンの燃焼室構造を示す縦断面図であり（ｂ）は、（ａ）の、ピストン頂面と天井壁付近を抜粋した図である。また図２は図１（ａ）のII−II線断面図である。また図３は、燃焼室の天井壁をピストン側から見た平面図である。図１（ｂ）はピストン１３が上死点にある状態を示しているが、図１（ａ）および図２は、図を見易くするために、ピストン１３が上死点よりやや下死点寄りにある状態を示している。また図１（ｂ）では、点火プラグ１５および急傾斜壁面１１ｆを省略して示している。
【００３８】
当実施形態の燃焼室１４はペントルーフ型である。図１（ａ）、（ｂ）に示すように、ピストン１３が上死点にあるときの燃焼室１４は、シリンダブロック５０のシリンダボア１２と、ピストン頂面４と、燃焼室１４に臨むシリンダヘッド１０の下面である天井壁１１とに囲まれた空間である。天井壁１１は、吸気側天井壁１１ａと排気側天井壁１１ｂとがシリンダボア１２の軸線に垂直な面に対して逆方向に傾斜し、屋根形をなすように形成されている。
【００３９】
シリンダボア１２の径方向中央付近には、天井壁１１から燃焼室１４に先端が臨設された点火プラグ１５が設けられている。また吸気側天井壁１１ａにおけるシリンダボアの周縁部から燃焼室１４に先端が臨設されたインジェクタ１７（燃料噴射装置）が設けられている。インジェクタ１７の先端には複数の噴口１７ａ（例えば６個）が設けられ、後述するようにそのうちの３個が、点火プラグ１５の電極１５ａに指向している。
【００４０】
吸気側天井壁１１ａには、これに開口する２箇所の吸気ポート２１が設けられており、各吸気ポート２１には所定の吸気タイミングで開く吸気バルブ１９が設けられている。また排気側天井壁１１ｂには、これに開口する２箇所の排気ポート２２が設けられており、各排気ポート２２には所定の排気タイミングで開く排気バルブ２０が設けられている。吸気バルブ１９および排気バルブ２０の、燃焼室１４に臨む面は、それぞれ吸気側天井壁１１ａおよび排気側天井壁１１ｂの一部を形成している。
【００４１】
図１（ａ）および図３に示すように、排気側天井壁１１ｂの、点火プラグ１５を挟んで噴口１７ａと対向する位置付近に、急傾斜壁面１１ｆが設けられている。急傾斜壁面１１ｆは排気側天井壁１１ｂの一部であり、周囲よりもより傾斜が急になっている箇所である。図３に示すように、急傾斜壁面１１ｆは、平面視でシリンダボア周縁形状に略平行な円弧状の曲面に形成されている。急傾斜壁面１１ｆの下端は天井壁下端周縁部１１ｅとなっている。天井壁下端周縁部１１ｅはシリンダボア周縁よりもシリンダボア中央寄りに位置している。従って天井壁下端周縁部１１ｅにおいて急傾斜壁面１１ｆとシリンダボア１２の壁面との間に段差が形成されている。
【００４２】
図１（ｂ）に示すように、燃焼室１４は、ピストン１３が上死点にある状態で、燃焼室１４内空間の主要部が、インジェクタ１７周辺から点火プラグ１５周辺にかけて広がる第１燃焼空間１４ａと、天井壁下端周縁部１１ｅからシリンダボア周縁部にかけて広がる第２燃焼空間１４ｂとによって形成されている。そして第１燃焼空間１４ａと第２燃焼空間１４ｂとは、ピストン頂面４と天井壁１１との間隙が狭められた小間隙部５を介して連通されている。
【００４３】
ここで、ピストン１３の形状、特に冠部の形状について説明する。図４（ａ）はピストン１３の斜視図であり、（ｂ）は同平面図である。以下の説明で、ピストン１３の上下方向は図（ａ）の状態での上下方向とする。つまり組立状態で天井壁１１に近い方を上とする。
【００４４】
ピストン冠部１３ａには、平面視で吸気側（図４（ｂ）での右側）が切り欠かれた略円環状（以下Ｃ字状という）をなして上方に突出する凸部６が設けられている。凸部６のＣ字形の閉じた側（図４（ｂ）での左側）は燃焼室１４内での排気側に位置するように配設され、ピストン冠部１３ａの外周と略同心の円弧状となるように形成されている。その円弧半径はピストン１３の平均半径の半分よりもやや大きい。
【００４５】
凸部６の高さは、ペントルーフの稜線部１１ｃ（図２参照）に対向する位置で最も高く、吸気側および排気側のシリンダボア周縁に向かうほど低くなっている。従って図１（ａ），（ｂ）に示す状態で、凸部６は上部が天井壁１１のペントルーフ形状に沿った山形となっている。
【００４６】
凸部６は一定の厚みを有しており、その上面には凸部頂面９が形成されている。凸部頂面９は、詳しくは、吸気側における坂路状の吸気側凸部頂面９ａ，排気側における坂路状の排気側凸部頂面９ｂ，吸気側凸部頂面９ａと排気側凸部頂面９ｂとの境界部で平坦な凸部平坦頂面９ｃからなる。排気側凸部頂面９ｂのうち、特に天井壁下端周縁部１１ｅに対向する部分を排気側凸部頂面９ｂ’で示す。排気側凸部頂面９ｂ’は、曲面形状の天井壁下端周縁部１１ｅに対向するように形成されている。
【００４７】
凸部６のＣ字形の内側および外側には、凸部６に対して相対的に没入した凹部が形成されている。すなわち凸部６のＣ字形内側には中央側凹部７、Ｃ字形外側には周縁側凹部８が形成されている。
【００４８】
中央側凹部７は、凸部６のＣ字形と同様に吸気側に開口した平坦部である。中央側凹部７の吸気側には、さらに浅く没入した卵形凹部７ａが設けられている。卵形凹部７ａは平面視で卵型、つまり吸気側から排気側に延びる略長円で、吸気側の径が排気側の径より大なる形状となっている。卵形凹部７ａの側壁は緩やかな傾斜面となっている。
【００４９】
周縁側凹部８は、凸部６のＣ字形外側で、凸部６に対して相対的に没入した部分である。周縁側凹部８は略水平で中央側凹部７よりやや低く、ピストン冠部１３ａの外周と略同心の略円環形状となっている。
【００５０】
凸部６のＣ字形の開いた側の外側には、中央側凹部７と略同じ高さで平坦な周縁吸気側凹部８ａが形成されている。周縁側凹部８と周縁吸気側凹部８ａとは、斜面状の段差部８ｂで滑らかに接続されている。
【００５１】
次に、図１（ｂ）を参照して再び燃焼室１４の詳細構造について説明する。第１燃焼空間１４ａは、ピストン１３の中央側凹部７，卵形凹部７ａおよび周縁吸気側凹部８ａと天井壁１１との間に形成されている。従って第１燃焼空間１４ａは、インジェクタ１７から点火プラグ１５にかけて一体的に連続する空間となっている。また第２燃焼空間１４ｂは、凸部６の外側の領域であって、かつピストン１３の周縁側凹部８と天井壁１１との間に略環状（平面視でＣ字状）に形成されている。
【００５２】
そして第１燃焼空間１４ａと第２燃焼空間１４ｂとを連通する小間隙部５は、ピストン１３の凸部頂面９と天井壁１１との間に平面視でＣ字状（ピストン冠部１３ａに凸部６が形成されている箇所）に形成されている。
【００５３】
上述のように、凸部６のＣ字形の円弧部の半径がピストン１３の平均半径の半分よりもやや大きいので、小間隙部５は、シリンダボア１２の径方向における、第１点火プラグ１５からシリンダボア周縁との中間点よりもシリンダボア周縁寄りに形成されている。その最適位置は、エンジンの特性等によって異なるが、概ね第１点火プラグ１５からシリンダボア周縁までの距離の６０〜８５％の範囲内にある。
【００５４】
小間隙部５は、詳細には小間隙部５ａ、小間隙部５ｂおよび小間隙部５ｃからなる。小間隙部５ａは、ピストン１３の吸気側凸部頂面９ａと、これに対向する吸気側天井壁１１ａとの間の間隙である。小間隙部５ｂは、ピストン１３の排気側凸部頂面９ｂと、これに対向する排気側天井壁１１ｂとの間の間隙である。小間隙部５ｃは、ピストン１３の凸部平坦頂面９ｃと、これに対向する天井壁１１（稜線部１１ｃ付近）との間の間隙である。小間隙部５は、第１燃焼空間１４ａと第２燃焼空間１４ｂとの間に形成される狭い間隙であるが、特に小間隙部５ｂのうち、排気側凸部頂面９ｂ’と、これに対向する天井壁下端周縁部１１ｅ付近との間の間隙である最小間隙部５ｂ’は、他の小間隙部５ａ，５ｂ，５ｃに対して最も狭い間隙となっている。
【００５５】
次に、当実施形態の燃焼室構造を有する火花点火式直噴エンジンの動作について説明する。
【００５６】
まず吸気行程において吸気バルブ１９が開くとともに、ピストン１３が降下する。それに伴って吸気ポート２１から燃焼室１４内に空気が負圧吸引される。
【００５７】
続く圧縮行程において吸気バルブ１９が閉じるとともに、ピストン１３が上昇する。それに伴って、燃焼室１４内の空気が圧縮され、温度と圧力が上昇する。圧縮行程の中盤から後半にかけて、インジェクタ１７の噴口１７ａから燃料が噴射される。
【００５８】
圧縮行程の終盤付近、つまりピストン１３が図１（ｂ）に示す上死点付近まで上昇したとき、点火プラグ１５の電極１５ａから火花が飛ばされる。このとき、電極１５ａ付近には適度な濃度（空燃比）の混合気が偏在するようにインジェクタ１７の噴射形態が調整されている。この燃料噴射については後に詳述する。電極１５ａから飛ばされた火花によって電極１５ａ付近の混合気が着火し、火炎核が形成される。
【００５９】
続く膨張行程では、火炎核の火炎面が略球状に拡がりながら燃焼が進行する。この燃焼は、当明細書で後期重心型燃焼と称する燃焼形態を呈するが、これについては後に詳述する。燃焼によって急速に高められた筒内圧力によってピストン１３が押し下げられる。ピストン１３を押し下げる力が図外のコンロッド等を介して図外の出力軸（クランクシャフト）の回転駆動力となる。
【００６０】
続く排気行程では排気バルブ２０が開くとともにピストン１３が上昇に転じる。ピストン１３の上昇によって既燃ガス（排ガス）が排気ポート２２から押し出され、排出される。
【００６１】
以上の吸気、圧縮、膨張および排気からなる４行程を繰り返すことによってエンジンが連続運転される（４サイクルエンジン）。また多気筒エンジンの場合は、気筒ごとに上記の各行程をずらした設定とすることにより、より滑らかで振動や騒音の少ないエンジンとすることができる。
【００６２】
次に、上記圧縮行程中盤から後半にかけて行われるインジェクタ１７からの燃料噴射について詳細に説明する。
【００６３】
図５は、インジェクタ１７から噴射される噴霧の説明図である。上述のようにインジェクタ１７は６個の噴口１７ａを備えているが、各噴口１７ａからは互いに異なる指向の噴霧８３ａ，８３ｂ，８３ｃ，８３ｄ，８３ｅ，８３ｆ（これらを総称するときは噴霧８３という）が噴射される。実際の各噴霧８３は、噴口１７ａを頂点とする円錐状に拡散して行くが、図５ではその指向を模式的に矢印で示している。
【００６４】
各噴霧８３の指向は、図５の上下方向に４段階（上から第１段、第２段、第３段、第４段とする）、図５の紙面に垂直な方向（噴口１７ａから電極１５ａを見たときの左右方向）に３方向の指向を有する。この３方向とは、図３に示すように、電極１５ａの軸線またはその延長線の方向を中央方向とし、その中央の指向を挟んで左右（図３に示す方向では上下）対称に離間する指向を左右方向とする。
【００６５】
従って図３および図５に示すように、各噴霧８３の指向は、噴霧８３ａ，８３ｂが第１段左右、噴霧８３ｃが第２段中央、噴霧８３ｄが第３段中央、噴霧８３ｅ，８３ｆが第４段左右となっている。
【００６６】
第１段および第２段の噴霧８３ａ，８３ｂ，８３ｃは、主に電極１５ａの方向に指向し、第３段および第４段の噴霧８３ｄ，８３ｅ，８３ｆは、比較的電極１５ａから離れた方向に指向している。
【００６７】
図６は、電極１５ａの位置における点火時の噴霧８３ａ，８３ｂ，８３ｃの断面を示す説明図である。各噴霧８３ａ，８３ｂ，８３ｃは模式的に示されており、実際には図示のような明確な境界線はない。図６に示すように、噴霧８３ａ，８３ｂ，８３ｃは、直接電極１５ａに当たることを避けつつ、電極１５ａを取り囲むように指向している。
【００６８】
以上のような噴霧８３の指向パターンであるため、第１段および第２段の噴霧８３ａ，８３ｂ，８３ｃによって、比較的濃度の高い混合気を点火時に電極１５ａの周囲に偏在させることができ、着火性を高めることができる。また比較的電極１５ａから離れた方向に指向する噴霧８３ｄ，８３ｅ，８３ｆによって、燃焼室１４内全体に適度な濃度の混合気を行き渡らせ、全体として良好な燃焼を行わせることができる。
【００６９】
ところで、電極１５ａの方向に指向する噴霧８３ａ，８３ｂ，８３ｃは、殆どが排気側天井壁１１ｂに達するまでに燃焼に供されるものの、一部は排気側天井壁１１ｂに達する。当実施形態では、図５に示すように、傾斜した排気側天井壁１１ｂに達した噴霧８３ａ，８３ｂ，８３ｃは、自然に急傾斜壁面１１ｆに導かれるように構成されている。図３に示すように急傾斜壁面１１ｆは円弧状に形成されており、電極１５ａの軸線から左右に離れた方向に指向する噴霧８３ａ，８３ｂからの到達分も急傾斜壁面１１ｆに導かれ易くなっている。急傾斜壁面１１ｆに導かれた噴霧８３ａ’，８３ｂ’，８３ｃ’（図５に二点鎖線で示す）は、図示のように略下向きに方向を変え、ピストン頂面４の方に向かう。或いは一部が液滴化し、急傾斜壁面１１ｆに付着する。液滴化した燃料は急傾斜壁面１１ｆを伝い落ち、表面張力で天井壁下端周縁部１１ｅ付近に滞留するか、ピストン頂面４に滴下する。
【００７０】
この際、急傾斜壁面１１ｆとシリンダボア１２との間には段差があるため、急傾斜壁面１１ｆを伝い落ちた液滴燃料がその段差を越えて容易にシリンダボア１２を伝い落ちることが無い。従って、液滴燃料がシリンダボア１２とピストン１３との間の隙間から液滴燃料が燃焼室１４の外部（オイルパン側）に導かれることが可及的に防止され、オイル希釈が効果的に抑制される。
【００７１】
次に、上記膨張行程で行われる燃焼について詳細に説明する。この燃焼は、当明細書で後期重心型燃焼と呼ぶ燃焼形態を呈する。後期重心型燃焼は、端的に表現すれば前期主燃焼期間（燃焼質量の１０％以上５０％未満が燃焼する期間）での燃焼速度が比較的低く、後期主燃焼期間（燃焼質量の５０％以上９０％未満が燃焼する期間）での燃焼速度が比較的高い燃焼形態である。後期重心型燃焼は、当実施形態の燃焼室構造と密接な関係があり、この燃焼室構造によってなし得る燃焼形態である。
【００７２】
後期重心型燃焼について、燃焼室構造と関連付けながら説明する。まず、点火プラグ１５の電極１５ａから火花が飛ばされると、その周囲の混合気（特に噴霧８３ａ，８３ｂ，８３ｃ）が着火し、火炎核が形成される。そしてその火炎面（火炎伝播の最前線）が略同心球状に拡がりながら伝播する。つまり第１燃焼空間１４ａにおいて燃焼が行われる。その際、火炎面は未燃ガスを押し出すようにして拡がって行く。
【００７３】
ところが、第１燃焼空間１４ａの外側には小間隙部５が設けられている。従って、火炎面に押し出された未燃ガスが小間隙部５を通過する際、一種の絞り作用を受ける。その影響を受けて火炎伝播が抑制される。このため第１燃焼空間１４ａにおける燃焼速度が比較的低く抑えられる。
【００７４】
そして火炎面が小間隙部５を経て第２燃焼空間１４ｂに達すると、もはや小間隙部５による絞り作用の影響を受けないので、速やかに火炎伝播が進行する。つまり第２燃焼空間１４ｂにおける燃焼速度が比較的高くなる。
【００７５】
こうして、主として第１燃焼空間１４ａでの前期主燃焼期間には比較的低速の燃焼が行われ、主として第２燃焼空間１４ｂでの後期主燃焼期間には比較的高速の燃焼が行われるという、後期重心型燃焼が行われることになる。
【００７６】
ところで、上述したように、火炎面は点火プラグ１５の電極１５ａ付近に形成された火炎核を中心とする略同心球状に拡がって行くが、より厳密には、排気側への伝播速度が吸気側への伝播速度よりもやや高くなっている。高温の排気側では、より燃焼反応が促進されるからである。当実施形態では、最小間隙部５ｂ’によって、排気側へのガス流を他よりも強く絞っているので、高くなりがちな排気側への火炎伝播速度が比較的強く抑制される。これにより、全体的にはより均等な火炎伝播速度を得ることができ、円滑な燃焼を図ることができる。また火炎面の第１燃焼空間１４ａから第２燃焼空間１４ｂへの移行を、より均等に行わせることができる。
【００７７】
図７は、当実施形態の後期重心型燃焼における燃焼特性を示す特性図である。横軸にクランク角（°ＣＡ）、縦軸に燃焼質量割合（％）を示す。燃焼質量割合とは、燃焼した燃料の質量全体を１００％とし（無次元化）、当該クランク角時点までに燃焼した燃料の積算値を示したものである。
【００７８】
図示のように、燃焼質量割合が１０％未満の領域を初期燃焼領域８１といい、その期間を初期燃焼期間θ０という。また燃焼質量割合が１０％以上９０％未満の領域を主燃焼領域８０という。主燃焼領域８０は５０％を境にして前期と後期に分けられ、燃焼質量割合が１０％以上５０％未満の領域を前期主燃焼領域８０ａといい、５０％以上９０％未満の領域を後期主燃焼領域８０ｂという。そして前期主燃焼領域８０ａの期間を前期主燃焼期間θ１といい、後期主燃焼領域８０ｂの期間を後期主燃焼期間θ２という。
【００７９】
図７には、当実施形態の燃焼特性Ｔ１を示すとともに、比較のために従来の一般的な燃焼特性Ｔ１’を併記している。なお図７は、エンジン回転速度が１５００ｒｐｍで、高負荷運転状態での燃焼特性を示す。
【００８０】
当実施形態の燃焼特性Ｔ１では、初期燃焼期間θ０は点火時期〜約３°ＣＡ、前期主燃焼期間θ１は約３〜約１３°ＣＡ、後期主燃焼期間θ２は約１３〜約２０°ＣＡとなっている。一方、従来の燃焼特性Ｔ１’では、初期燃焼期間θ０’は点火時期〜約４°ＣＡ、前期主燃焼期間θ１’は約４〜約１３°ＣＡ、後期主燃焼期間θ２’は約１３〜約２１°ＣＡとなっている。
【００８１】
つまり当実施形態の燃焼特性Ｔ１は、従来の燃焼特性Ｔ１’に比べ、初期燃焼期間θ０が約１°ＣＡ短縮され、前期主燃焼期間θ１が約１°ＣＡ延ばされ、後期主燃焼期間θ２が約１°ＣＡ短縮されている。これは、主として第１燃焼空間１４ａで燃焼が行われる前期主燃焼期間θ１では燃焼速度が相対的に低く、主として第２燃焼空間１４ｂで燃焼が行われる後期主燃焼期間θ２では燃焼速度が相対的に高くなっていることを示している。つまり後期重心型燃焼となっていることがわかる。
【００８２】
また初期燃焼期間θ０及び前期主燃焼期間θ１での燃焼は、ともに主として第１燃焼空間１４ａでの燃焼であるが、初期燃焼期間θ０はむしろ短縮されている。これは、小間隙部５が、点火プラグ１５に近すぎない適所（詳しくは点火プラグ１５からシリンダボア周縁までの距離の６０〜８５％の範囲内の適所）に設けられていることによって、小間隙部５による絞り作用の影響が初期燃焼期間θ０にまでは及んでいないことを示している。
【００８３】
図８は、図７に示す燃焼特性を別の視点から表した特性図である。横軸にクランク角（°ＣＡ）、縦軸に熱発生率（％）を示す。ここで熱発生率とは、図７の熱発生割合の微分値であり、燃焼による全体の熱発生量を１００％とし（無次元化）、当該クランク角時点における熱発生量の割合を示したものである。
【００８４】
図８には、当実施形態の燃焼特性Ｔ２を示すとともに、比較のために従来の一般的な燃焼特性Ｔ２’を併記している。特性Ｔ２’と比較して、特性Ｔ２の顕著な特徴として、前期主燃焼期間θ１において傾きの緩やかな棚部Ｔ２ａを有している点、および後期主燃焼期間θ２において最大熱発生率の極大値が大きくなっている点である。この二点が後期重心型燃焼を特徴付けるものとなっている。
【００８５】
棚部Ｔ２ａについて説明すると、これは、初期燃焼期間θ０から前期主燃焼期間θ１に移行後、熱発生率の増大率が一時的に低下していることを示している。これは小間隙部５による絞り効果によって、前期主燃焼期間θ１での燃焼速度が比較的低くなったからであると考えられる。
【００８６】
その後、後期主燃焼期間θ２において最大熱発生率の極大値が大きくなっている点については、比較的多く残留した未燃燃料が、充分な容積が確保された第２燃焼空間１４ｂで高速で燃焼したためであると考えられる。
【００８７】
このように、当実施形態の燃焼室構造によれば、簡単な構造で後期重心型燃焼を容易に行わせることができる。そして上述のように、後期重心型燃焼を行わせることにより、耐ノッキング性能を向上させ、実用上有効に圧縮比を高めることができる。本願発明者は、例えば従来構造と同程度の耐ノッキング性能を確保した場合、圧縮比を０．５以上高めることができることを確認した。そして圧縮比を高めることにより燃焼効率を高め、燃費を向上させることができる。
【００８８】
以上の説明で明らかなように、当実施形態の燃焼室構造は、オイル希釈を効果的に抑制するとともに、後期重心型燃焼を行わせることによって実用上有効に圧縮比を高めることができる。特に急傾斜壁面１１ｆや、その下端部である天井壁下端周縁部１１ｅは、何れの作用効果を得るためにも重要な役割を果たす構成要素となっている。換言すれば、急傾斜壁面１１ｆや天井壁下端周縁部１１ｅという簡単な構造を用いることにより、オイル希釈の抑制と圧縮比の向上とを同時に可能にしている。
【００８９】
以上、本発明の実施形態について説明したが、本発明はこの実施形態に限定するものではなく、特許請求の範囲内で種々の変形を行っても良い。
【００９０】
例えば上記各実施形態は、本発明を４サイクルエンジンに適用した場合を示しているが、それ以外の、例えば２サイクルエンジンに適用しても良い。
【００９１】
燃焼室１４の形状はペントルーフ型が望ましいが、それ以外、例えば半球形型（ドーム型）、多球形型等であっても良い。
【００９２】
噴口１７ａの数は、６個に限定するものではない。電極１５ａ方向に指向する少なくとも１個の噴口１７ａがあれば良く、６個以外の複数個、或いは１個であっても良い。
【００９３】
ピストン冠部１３ａの形状は、上記形状に限定するものではない。例えば凸部６は、上記実施形態のようにペントルーフの略頂点にまでペントルーフ形状に沿うものでなく、ある程度（小間隙部５ｃが大きすぎない程度）の高さ、例えば当実施形態の半分程度の高さまでペントルーフ形状に沿い、それ以上の高さの部分を削除したような形状であっても良い。卵形凹部７ａは必ずしも設ける必要はない。
【図面の簡単な説明】
【００９４】
【図１】本発明の実施形態に係る火花点火式エンジンの燃焼室構造を示す縦断面図であり、（ａ）はピストンが上死点よりやや下死点寄りにある状態、（ｂ）はピストンが上死点にある状態を示す。
【図２】図１のII−II線断面図である。
【図３】図１に示す燃焼室の天井壁をピストン側から見た平面図である。
【図４】図１に示すピストンの図であり、（ａ）は斜視図、（ｂ）は平面図である。
【図５】図１に示すインジェクタから噴射される噴霧の説明図である。
【図６】図１に示す電極１５ａの位置における点火時の噴霧の断面を示す説明図である。
【図７】図１に示すエンジンの後期重心型燃焼における燃焼特性を示す特性図である。
【図８】図７に示す燃焼特性を微分した特性図である。
【符号の説明】
【００９５】
４      ピストン頂面
５      小間隙部
６      凸部
７      中央側凹部（凹部）
８      周縁側凹部（凹部）
９      凸部頂面
１０    シリンダヘッド
１１    天井壁（シリンダヘッド下面）
１１ａ  吸気側天井壁
１１ｂ  排気側天井壁
１１ｅ  天井壁下端周縁部
１２    シリンダボア
１３    ピストン
１３ａ  ピストン冠部
１４    燃焼室
１４ａ  第１燃焼空間
１４ｂ  第２燃焼空間
１５    点火プラグ
１５ａ  電極
１７    インジェクタ（燃料噴射装置）
１７ａ  噴口
【図１】
2007085221.tif 000003
【図２】
2007085221.tif 000004
【図３】
2007085221.tif 000005
【図４】
2007085221.tif 000006
【図５】
2007085221.tif 000007
【図６】
2007085221.tif 000008
【図７】
2007085221.tif 000009
【図８】
2007085221.tif 000010